(57)【要約】【課題】第１接点では第１端子の柔軟性が高く、第２端子の剛性が高く、第２接点では第１端子の剛性が高く、第２端子の柔軟性が高くなるようにして、外力を受けた場合にも第１接点及び第２接点で接触状態を確実に維持することができ、瞬断が発生することがなく、小さな挿入力及び大きな抜去力の両者を実現することができ、操作性が高く、信頼性を高くすることができるようにする。【解決手段】第１端子と、第１端子が配設された第１ハウジングとを有する第１コネクタと、第２端子と、第２端子が配設された第２ハウジングとを有し、第１コネクタと嵌合する第２コネクタとから成る基板コネクタであって、第１端子と第２端子とは、第１接点及び第２接点で互いに接触し、第１接点又は第２接点の一方では、第１端子の柔軟性が高く、第２端子の剛性が高く、第１接点又は第２接点の他方では、第１端子の剛性が高く、第２端子の柔軟性が高い。【選択図】図１
2010015920.tif 000002
【特許請求の範囲】
【請求項１】
（ａ）第１端子（６１）と、該第１端子（６１）が配設された第１ハウジング（１１）とを有する第１コネクタ（１）と、
（ｂ）第２端子（１６１）と、該第２端子（１６１）が配設された第２ハウジング（１１１）とを有し、前記第１コネクタ（１）と嵌合する第２コネクタ（１０１）とから成る基板コネクタであって、
（ｃ）前記第１端子（６１）と第２端子（１６１）とは、第１接点（７１）及び第２接点（７２）で互いに接触し、
（ｄ）前記第１接点（７１）又は第２接点（７２）の一方では、第１端子（６１）の柔軟性が高く、第２端子（１６１）の剛性が高く、前記第１接点（７１）又は第２接点（７２）の他方では、第１端子（６１）の剛性が高く、第２端子（１６１）の柔軟性が高いことを特徴とする基板コネクタ。
【請求項２】
前記第１接点（７１）で柔軟性が高い端子（６１、１６１）の固有振動数と、前記第２接点（７２）で柔軟性が高い端子（６１、１６１）の固有振動数とが相違する請求項１に記載の基板コネクタ。
【請求項３】
前記第１端子（６１）は、柔軟性が高い第１接触部（６５）及び剛性が高い第２接触部（６６）を備え、
前記第２端子（１６１）は、剛性が高い第１接触部（１６５）及び柔軟性が高い第２接触部（１６６）を備え、
前記第１接点（７１）では、前記第１端子（６１）及び第２端子（１６１）の第１接触部（６５、１６５）が互いに接触し、
前記第２接点（７２）では、前記第１端子（６１）及び第２端子（１６１）の第２接触部（６６、１６６）が互いに接触する請求項１又は２に記載の基板コネクタ。
【請求項４】
前記第１端子（６１）は、前記第１ハウジング（１１）に保持される被保持部（６３）と、該被保持部（６３）に接続され、先端が前記第１ハウジング（１１）の凹溝部（１２）内へ突出する第２接触部（６６）と、該第２接触部（６６）にＵ字状の接続部（６４）を介して接続され、先端が前記第１ハウジング（１１）の凹溝部（１２）内へ突出するとともに、第２接触部（６６）に対向する第１接触部（６５）とを備え、
前記第２端子（１６１）は、前記第２ハウジング（１１１）に保持される被保持部（１６３）と、該被保持部（１６３）に接続され、前記第２ハウジング（１１１）の凸条部（１１２）の一方の側壁に当接する第１接触部（１６５）と、該第１接触部（１６５）に一端が接続され、他端が前記凸条部（１１２）の他方の側壁から離間したカンチレバー状の第２接触部（１６６）とを備え、
前記凸条部（１１２）が前記凹溝部（１２）内に挿入されると、前記第２端子（１６１）は前記第１端子（６１）の第１接触部（６５）と第２接触部（６６）とによって挟込まれる請求項３に記載の基板コネクタ。
【発明の詳細な説明】
【技術分野】
【０００１】
本発明は、基板コネクタに関するものである。
【背景技術】
【０００２】
従来、回路基板同士や電線と回路基板とを電気的に接続するために、基板コネクタが使用されている。このような基板コネクタは、回路基板における面に取付けられ、該面から突出するコネクタ部を備えている（例えば、特許文献１及び２参照。）。
【０００３】
図１１は従来の基板コネクタを示す断面図である。なお、図において、（ａ）は嵌（かん）合前の状態を示す図、（ｂ）は嵌合後の状態を示す図である。
【０００４】
図において、８０１は図示されない第１回路基板に取付けられるレセプタクルコネクタであり、９０１は図示されない第２回路基板に取付けられるプラグコネクタである。前記レセプタクルコネクタ８０１は絶縁性材料から成るレセプタクルハウジング８１１に装填（てん）された複数のレセプタクル端子８６１を備え、前記プラグコネクタ９０１は絶縁性材料から成るプラグハウジング９１１に装填された複数のプラグ端子９６１ａ及び９６１ｂを備える。なお、８１２はレセプタクルハウジング８１１の凸条部であり、９１２はプラグハウジング９１１の凸条部である。
【０００５】
そして、前記レセプタクルコネクタ８０１とプラグコネクタ９０１とを図に示されるように嵌合し、レセプタクル端子８６１とプラグ端子９６１ａ及び９６１ｂとを相互に接続させることによって、第１回路基板及び第２回路基板が電気的に接続される。この場合、レセプタクル端子８６１とプラグ端子９６１ａ及び９６１ｂとは、第１接点８６５ａ及び第２接点８６５ｂの２箇所で接触するので、いわゆる多点接触となり、接触状態が確実に維持される。また、レセプタクルコネクタ８０１からプラグコネクタ９０１を抜去るために必要な抜去力が大きくなるので、レセプタクルコネクタ８０１とプラグコネクタ９０１との嵌合状態が確実に維持される。
【特許文献１】特開２００６−２６９４１８号公報
【特許文献２】特開２０００−３３１７３１号公報
【発明の開示】
【発明が解決しようとする課題】
【０００６】
しかしながら、前記従来の基板コネクタにおいては、落下等によって大きな衝撃を受けてレセプタクルコネクタ８０１の嵌合軸とプラグコネクタ９０１の嵌合軸とにずれが生じた場合、第２接点８６５ｂがずれに追従することができないので、接触が切断される可能性がある。図１１に示される構成から明らかなように、第１接点８６５ａではプラグ端子９６１ａの柔軟性が高くなくてもレセプタクル端子８６１の柔軟性が高いのに対し、第２接点８６５ｂではプラグ端子９６１ｂ及びレセプタクル端子８６１の剛性がともに高く、柔軟性が低い。そのため、第２接点８６５ｂは、レセプタクルコネクタ８０１の嵌合軸とプラグコネクタ９０１の嵌合軸とのずれに追従することができない。
【０００７】
もっとも、第２接点８６５ｂではプラグ端子９６１ｂ及びレセプタクル端子８６１がともに剛性が高いので、抜去力が大きくなり、レセプタクルコネクタ８０１とプラグコネクタ９０１との嵌合状態の維持が確実になる。しかし、前記レセプタクルコネクタ８０１にプラグコネクタ９０１を挿入するために必要な挿入力も大きくなるので、レセプタクルコネクタ８０１とプラグコネクタ９０１とを嵌合させる嵌合作業性が低下してしまう。
【０００８】
本発明は、前記従来の基板コネクタの問題点を解決して、第１接点では第１端子の柔軟性が高く、第２端子の剛性が高く、第２接点では第１端子の剛性が高く、第２端子の柔軟性が高くなるようにして、外力を受けた場合にも第１接点及び第２接点で接触状態を確実に維持することができ、瞬断が発生することがなく、小さな挿入力及び大きな抜去力の両者を実現することができ、操作性が高く、信頼性の高い基板コネクタを提供することを目的とする。
【課題を解決するための手段】
【０００９】
そのために、本発明の基板コネクタにおいては、第１端子と、該第１端子が配設された第１ハウジングとを有する第１コネクタと、第２端子と、該第２端子が配設された第２ハウジングとを有し、前記第１コネクタと嵌合する第２コネクタとから成る基板コネクタであって、前記第１端子と第２端子とは、第１接点及び第２接点で互いに接触し、前記第１接点又は第２接点の一方では、第１端子の柔軟性が高く、第２端子の剛性が高く、前記第１接点又は第２接点の他方では、第１端子の剛性が高く、第２端子の柔軟性が高い。
【００１０】
本発明の他の基板コネクタにおいては、さらに、前記第１接点で柔軟性が高い端子の固有振動数と、前記第２接点で柔軟性が高い端子の固有振動数とが相違する。
【００１１】
本発明の更に他の基板コネクタにおいては、さらに、前記第１端子は、柔軟性が高い第１接触部及び剛性が高い第２接触部を備え、前記第２端子は、剛性が高い第１接触部及び柔軟性が高い第２接触部を備え、前記第１接点では、前記第１端子及び第２端子の第１接触部が互いに接触し、前記第２接点では、前記第１端子及び第２端子の第２接触部が互いに接触する。
【００１２】
本発明の更に他の基板コネクタにおいては、さらに、前記第１端子は、前記第１ハウジングに保持される被保持部と、該被保持部に接続され、先端が前記第１ハウジングの凹溝部内へ突出する第２接触部と、該第２接触部にＵ字状の接続部を介して接続され、先端が前記第１ハウジングの凹溝部内へ突出するとともに、第２接触部に対向する第１接触部とを備え、前記第２端子は、前記第２ハウジングに保持される被保持部と、該被保持部に接続され、前記第２ハウジングの凸条部の一方の側壁に当接する第１接触部と、該第１接触部に一端が接続され、他端が前記凸条部の他方の側壁から離間したカンチレバー状の第２接触部とを備え、前記凸条部が前記凹溝部内に挿入されると、前記第２端子は前記第１端子の第１接触部と第２接触部とによって挟込まれる。
【発明の効果】
【００１３】
本発明によれば、基板コネクタは、第１接点では、第１端子の柔軟性が高く、第２端子の剛性が高く、第２接点では、第１端子の剛性が高く、第２端子の柔軟性が高くなっている。これにより、外力を受けた場合にも第１接点及び第２接点で接触状態を確実に維持することができ、瞬断が発生することがなく、信頼性を高くすることができる。また、小さな挿入力及び大きな抜去力の両者を実現することができ、操作性を高くすることができる。
【発明を実施するための最良の形態】
【００１４】
以下、本発明の実施の形態について図面を参照しながら詳細に説明する。
【００１５】
図１は本発明の実施の形態における第１コネクタの分解図、図２は本発明の実施の形態における第１コネクタと第２コネクタとを嵌合した状態を示す斜視図であり、第１コネクタの嵌合面側から観た図、図３は本発明の実施の形態における第１コネクタの斜視図であり、嵌合面側から観た図、図４は本発明の実施の形態における第１コネクタの斜視図であり、実装面側から観た図である。
【００１６】
図において、１は本実施の形態における一対の基板コネクタの一方としての第１コネクタであり、後述される第１基板９１の表面に実装される表面実装型のコネクタである。また、１０１は本実施の形態における一対の基板コネクタの他方としての第２コネクタであり、後述される第２基板１９１の表面に実装される表面実装型のコネクタである。本実施の形態における基板コネクタは、前記第１コネクタ１及び第２コネクタ１０１を含み、第１基板９１及び第２基板１９１を電気的に接続する。なお、前記第１基板９１及び第２基板１９１は、例えば、電子機器等に使用されるプリント回路基板であるが、いかなる種類の基板であってもよく、さらに、第２基板１９１の代わりに、複数の電線の端部に第２コネクタ１０１を接続した状態でもよい。
【００１７】
また、本実施の形態において、基板コネクタの各部の構成及び動作を説明するために使用される上、下、左、右、前、後等の方向を示す表現は、絶対的なものでなく相対的なものであり、前記基板コネクタの各部が図に示される姿勢である場合に適切であるが、その姿勢が変化した場合には姿勢の変化に応じて変更して解釈されるべきものである。
【００１８】
そして、前記第１コネクタ１は、合成樹脂等の絶縁性材料によって一体的に形成されたコネクタ本体としての第１ハウジング１１を有する。該第１ハウジング１１は、図に示されるように、概略直方体である概略長方形の厚板状の形状を備え、第２コネクタ１０１が嵌入される側の面、すなわち、嵌合面（図１及び３における上面）には、周囲が囲まれた概略長方形の凹部が形成されている。前記第１コネクタ１は、例えば、縦約７．０〔ｍｍ〕、横約２．５〔ｍｍ〕及び厚さ約１．０〔ｍｍ〕の寸法を備えるものであるが、寸法は適宜変更することができる。そして、前記凹部内には凸条部１３が第１ハウジング１１と一体的に形成され、また、前記凸条部１３の両側には凸条部１３と並行に延在する側壁部１４が第１ハウジング１１と一体的に形成されている。この場合、前記凸条部１３及び側壁部１４は、凹部の面から上方に向けて突出し、第１ハウジング１１の長手方向に延在する。これにより、前記凸条部１３の両側には、第１ハウジング１１の長手方向に延在する細長い挿入凹部としての凹溝部１２が凸条部１３と側壁部１４との間に形成される。なお、図に示される例において、前記凸条部１３は単数であるが、複数であってもよく、その数はいくつであってもよい。また、前記凸条部１３は、例えば、幅約０．６〔ｍｍ〕の寸法を備えるものであるが、寸法は適宜変更することができる。
【００１９】
ここで、前記凸条部１３の両側の側面及び凹溝部１２の底面に跨（またが）るようにして、端子としての第１端子６１を収容するために、凹溝状の第１端子収容キャビティ１５が形成されている。該第１端子収容キャビティ１５は、各凸条部１３の各側面及び凹溝部１２の底面に、例えば、約０．４〔ｍｍ〕のピッチで１０個ずつ形成されている。そして、第１端子収容キャビティ１５の各々に収容される第１端子６１も、各凸条部１３の各側面及び凹溝部１２の底面に、例えば、約０．４〔ｍｍ〕のピッチで１０個ずつ配設されている。さらに、前記側壁部１４の内方側面には、第１端子収容キャビティ１５の各々に対応する位置に第１端子収容溝１６が形成されている。前記第１端子収容キャビティ１５及び第１端子収容溝１６は、第１端子６１を収容する一連の溝として機能する。なお、前記第１端子収容キャビティ１５、第１端子収容溝１６及び第１端子６１のピッチ及び個数は適宜変更することができる。
【００２０】
また、第１ハウジング１１の長手方向両端には短手方向に延在する端壁部２６が各々配設され、該端壁部２６の両端は、側壁部１４に接続されている。そして、前記凹部内において、端壁部２６及び側壁部１４の両端近傍部分に囲繞（にょう）された凸条部１３の長手方向両端外側部分は、挿入凹部２１となっている。換言すると、該挿入凹部２１は、凹溝部１２の両端外側に形成されている。そして、前記挿入凹部２１は、第１コネクタ１及び第２コネクタ１０１とが嵌合された状態において、該第２コネクタ１０１が備える後述される挿入凸部１２１が挿入される部分である。
【００２１】
前記第１端子６１は、導電性の金属板に打抜き、曲げ等の加工を施すことによって一体的に形成された部材であり、被保持部６３と、該被保持部６３の下端に接続されたテール部６２と、前記被保持部６３の上端に接続された接続部としての上側接続部６７と、該上側接続部６７の内方端近傍に形成された第２接触部６６と、該第２接触部６６に接続された接続部としての下側接続部６４と、該下側接続部６４の自由端近傍に形成された第１接触部６５とを備える。
【００２２】
そして、前記被保持部６３は、上下方向、すなわち、第１ハウジング１１の厚さ方向に延在し、前記第１端子収容溝１６に嵌入されて保持される部分である。また、前記テール部６２は、被保持部６３に対して曲げて接続され、左右方向、すなわち、第１ハウジング１１の幅方向に外方を向いて延出し、第１基板９１上の導電トレースに連結された接続パッドにはんだ付等によって接続される。さらに、前記上側接続部６７は、被保持部６３に対して曲げて接続され、第１ハウジング１１の幅方向に内方を向いて延出する。そして、上側接続部６７の内方端には、下方に向けて曲げられ、かつ、内方に突出する湾曲した第２接触部６６が形成されている。また、前記下側接続部６４は、前記第２接触部６６の下端に接続されたＵ字状の側面形状を備える部分である。そして、下側接続部６４の自由端、すなわち、内方の上端近傍には、Ｕ字状に曲げられ、かつ、外方に突出する湾曲した第１接触部６５が形成されている。
【００２３】
前記第１端子６１は、実装面（図４における下面）側から、第１端子収容キャビティ１５及び第１端子収容溝１６内に嵌入され、被保持部６３が第１端子収容溝１６の側壁によって両側から挟持されることにより、第１ハウジング１１に固定される。つまり、第１端子６１は、凸条部１３の両側に平行して延在する側壁部１４に各々対向するように嵌入される。
【００２４】
次に、前記第２コネクタ１０１の構成について説明する。
【００２５】
図５は本発明の実施の形態における第２コネクタの斜視図であり、嵌合面側から観た図、図６は本発明の実施の形態における第２コネクタの斜視図であり、実装面側から観た図、図７は本発明の実施の形態における配列された第２端子の斜視図であり、嵌合面側から観た図である。
【００２６】
第２コネクタ１０１は、合成樹脂等の絶縁性材料によって一体的に形成されたコネクタ本体としての第２ハウジング１１１を有する。該第２ハウジング１１１は、図に示されるように、概略直方体である概略長方形の厚板状の形状を備え、例えば、縦約６．０〔ｍｍ〕、横約１．５〔ｍｍ〕及び厚さ約０．８〔ｍｍ〕の寸法を備えるものであるが、寸法は適宜変更することができる。そして、第２ハウジング１１１の第１コネクタ１に嵌入される側の面、すなわち、嵌合面（図５における上面）には、長手方向に延在する一対の凸条部１１２が第２ハウジング１１１と一体的に形成されている。なお、前記凸条部１１２は第２ハウジング１１１の両側のそれぞれに沿って形成されている。また、両側の凸条部１１２の間には、第２ハウジング１１１の長手方向に延在する細長い凹溝部１１３が形成される。図６に示されるように、凹溝部１１３は、第２基板１９１に実装される側の面、すなわち、実装面（図６における下面）側が底板部１１７によって閉止されている。なお、図に示される例において、前記凸条部１１２は２本であるが、単数であっても、複数であってもよく、その数はいくつであってもよい。また、前記凹溝部１１３は、例えば、幅約０．７〔ｍｍ〕の寸法を備えるものであるが、寸法は適宜変更することができる。
【００２７】
ここで、前記凸条部１１２の外側の側面には、端子としての第２端子１６１の第２接触部１６６を収容するために、凹溝状の第２端子収容溝１１６が形成されている。該第２端子収容溝１１６は、各凸条部１１２の外側の側面に、例えば、約０．４〔ｍｍ〕のピッチで１０個ずつ形成されている。そして、第２端子収容溝１１６の各々に第２接触部１６６が収容される第２端子１６１も、各凸条部１１２の各側面及び頂部に、例えば、約０．４〔ｍｍ〕のピッチで１０個ずつ配設されている。なお、前記第２端子収容溝１１６及び第２端子１６１のピッチ及び個数は適宜変更することができる。
【００２８】
また、該第２ハウジング１１１の長手方向両端には短手方向に延在する端壁部としての挿入凸部１２１が各々配設され、該挿入凸部１２１の両端は、凸条部１１２に接続されている。そして、前記挿入凸部１２１は、第１コネクタ１及び第２コネクタ１０１が嵌合された状態において、前記第１コネクタ１の挿入凹部２１に挿入される。
【００２９】
前記第２端子１６１は、導電性の金属板に打抜き、曲げ等の加工を施すことによって一体的に形成された部材であり、被保持部１６３と、該被保持部１６３の下端に接続されたテール部１６２と、前記被保持部１６３の上端に接続された第１接触部１６５と、該第１接触部１６５の上端に接続された接続部１６４と、該接続部１６４の外方端に接続された第２接触部１６６とを備える。
【００３０】
そして、前記被保持部１６３は、ほぼ９０度に湾曲し、第２ハウジング１１１に周囲を囲まれて保持される部分である。また、前記テール部１６２は、被保持部１６３の左右方向、すなわち、第２ハウジング１１１の幅方向に延在する下端に接続され、第２ハウジング１１１の外方を向いて延出し、第２基板１９１上の導電トレースに連結された接続パッドにはんだ付等によって接続される。さらに、前記第１接触部１６５は、被保持部１６３の上端に接続され、挿入凸部１２１の内側面に沿って上方向に延出する平板状の部分である。そして、前記接続部１６４は、第１接触部１６５に対して曲げて接続され、第２ハウジング１１１の幅方向に外方を向いて延出する。また、前記第２接触部１６６は、接続部１６４の外方端に、斜め下方に向けて曲げられて接続され、かつ、自由端である下端が斜め下外方を向いて延出するカンチレバー状の部分である。
【００３１】
前記第２端子１６１は一体成形によって第２ハウジング１１１と一体化される。すなわち、該第２ハウジング１１１は、第２端子１６１をあらかじめ内部にセットした金型のキャビティ内に樹脂を充填することによって成形される。これにより、第２端子１６１は、被保持部１６３が第２ハウジング１１１内に埋没し、その他の部分が第２ハウジング１１１の周囲に露出した状態で、第２ハウジング１１１に一体的に取付けられる。つまり、第２端子１６１は、第２ハウジング１１１の両側に形成された凸条部１１２に各々対向するように取付けられる。
【００３２】
次に、前記構成の第１コネクタ１と第２コネクタ１０１とを嵌合する動作について説明する。
【００３３】
図８は本発明の実施の形態における端子を示す第１コネクタ及び第２コネクタの断面図であり、嵌合前の状態を示す図、図９は本発明の実施の形態における端子を示す第１コネクタ及び第２コネクタの断面図であり、嵌合した状態を示す図、図１０は本発明の実施の形態における端子を示す第１コネクタ及び第２コネクタの断面図であり、嵌合した状態で外力が付与された状態を示す図である。
【００３４】
ここで、第１コネクタ１は、第１端子６１のテール部６２が第１基板９１上の導電トレースに連結された接続パッドにはんだ付等によって接続されることにより、第１基板９１に表面実装されている。なお、テール部６２の先端は、側壁部１４の外側面より内方に位置する、つまり、テール部６２は側壁部１４の外側面より外方に突出していない。そのため、第１コネクタ１の幅方向の寸法を狭くすることができるとともに、第１コネクタ１を第１基板９１に実装するために必要な実装面の幅を狭くすることができる。
【００３５】
図８に示されるように、第２接触部６６の先端は、側壁部１４の第１端子収容キャビティ１５から凹溝部１２内へ突出し、第１接触部６５の先端は、凸条部１３の第１端子収容キャビティ１５から凹溝部１２内へ突出している。これにより、図９に示されるように、凹溝部１２内に挿入された第２コネクタ１０１の第２端子１６１を、第１接触部６５と第２接触部６６とによって、両側から挟込むことができる。なお、第１接触部６５及び第２接触部６６の第１ハウジング１１の厚さ方向の位置は、ほぼ同様であり、互いに対向している。
【００３６】
ここで、第２接触部６６は、一端が被保持部６３に接続された上側接続部６７の他端近傍に形成されている、つまり、第１ハウジング１１の側壁部１４に固定されている被保持部６３の上端に、短い棒状の上側接続部６７を介して、接続された状態となっている。そのため、第２接触部６６から被保持部６３までの間でばねとして機能する部分の長さが短いので、第２接触部６６は、剛性が高く、柔軟性が低く、弾性的に変位しにくい。
【００３７】
これに対し、第１接触部６５は、一端が第２接触部６６に接続されたＵ字状の下側接続部６４の他端近傍に形成されている、つまり、ある程度の柔軟性を備える第２接触部６６に、長い湾曲した下側接続部６４を介して、接続された状態となっている。そのため、第１接触部６５から被保持部６３までの間でばねとして機能する部分の長さが長いので、第１接触部６５は、剛性が低く、柔軟性が高く、弾性的に変位しやすい。また、凸条部１３の第１端子収容キャビティ１５は、第１接触部６５が第１ハウジング１１の内方への変位を許容し得る程度に、大きく形成されている。
【００３８】
同様に、第２コネクタ１０１は、第２端子１６１のテール部１６２が第２基板１９１上の導電トレースに連結された接続パッドにはんだ付等によって接続されることにより、第２基板１９１に表面実装されている。
【００３９】
図８に示されるように、第１接触部１６５は、凸条部１１２の内側壁に沿って延在し、かつ、凹溝部１１３内に露出し、第２接触部１６６は、凸条部１１２の外側壁より外方へ突出している。これにより、図９に示されるように、凹溝部１２内に挿入された第２コネクタ１０１の第２端子１６１の第１接触部１６５及び第２接触部１６６は、第２端子１６１を両側から挟込む第１端子６１の第１接触部６５及び第２接触部６６と、各々、接触することができる。
【００４０】
ここで、第１接触部１６５は、第２ハウジング１１１に周囲を囲まれた被保持部１６３に一端が接続され、その外方の面が凸条部１１２の内側の側壁に当接し、かつ、凸条部１１２に当接する接続部１６４に他端が接続されている。つまり、第１接触部１６５は、実質的に全体が第２ハウジング１１１に拘束されているので、剛性が高く、柔軟性が低く、弾性的に変位しにくい。
【００４１】
これに対し、第２接触部１６６は、一端が接続部１６４を介して、第１接触部１６５に接続されているが、他端は凸条部１１２の外側の側壁から離間して変位可能な自由端であり、さらに、凸条部１１２の第２端子収容溝１１６の内壁にも当接せず、全体としては何ら拘束されていない。そのため、第２接触部１６６は、接続部１６４に接続されている一端を基端とするカンチレバーとして機能し、剛性が低く、柔軟性が高く、弾性的に変位しやすい。また、第２端子収容溝１１６は、第２接触部１６６が第２ハウジング１１１の内方への変位を許容し得る程度に、大きく形成されている。
【００４２】
そして、図８に示されるように、第１コネクタ１の嵌合面と第２コネクタ１０１の嵌合面とを対向させた状態とする。この場合、第１コネクタ１の嵌合面及び第２コネクタ１０１の嵌合面は互いにほぼ平行であり、第１基板９１及び第２基板１９１も互いにほぼ平行である。
【００４３】
続いて、第１コネクタ１及び／又は第２コネクタ１０１を相手側に移動させ、図９に示されるように、嵌合させる。第１コネクタ１と第２コネクタ１０１とが嵌合された状態においては、第２ハウジング１１１の凸条部１１２が第１ハウジング１１の凹溝部１２に挿入され、第１端子６１の第１接触部６５と第２端子１６１の第１接触部１６５とが接触して第１接点７１を形成し、第１端子６１の第２接触部６６と第２端子１６１の第２接触部１６６とが接触して第２接点７２を形成する。
【００４４】
これにより、第１端子６１と第２端子１６１とが導通した状態となるので、その結果、第１端子６１のテール部６２が接続された第１基板９１上の接続パッドに接続された導電トレースと、第２端子１６１のテール部１６２が接続された第２基板１９１上の接続パッドに接続された導電トレースとが導通する。
【００４５】
この場合、第１端子６１と第２端子１６１とは、第１接点７１及び第２接点７２で互いに接触する、すなわち、多点接触となるので、導通状態が確実に維持される。そして、前記第１接点７１では、第１端子６１の第１接触部６５の柔軟性が高く、かつ、第２端子１６１の第１接触部１６５の剛性が高くなっている。また、前記第２接点７２では、第１端子６１の第２接触部６６の剛性が高く、かつ、第２端子１６１の第２接触部１６６の柔軟性が高くなっている。
【００４６】
そのため、第１コネクタ１と第２コネクタ１０１との嵌合を解除する力、すなわち、第１コネクタ１から第２コネクタ１０１を抜去るための抜去力を受けた場合でも、第１接点７１及び第２接点７２で一方の端子の剛性が高いので、第１コネクタ１から第２コネクタ１０１を抜去ることが困難である。つまり、必要な抜去力が大きい。
【００４７】
また、第１コネクタ１と第２コネクタ１０１とを嵌合する力、すなわち、第１コネクタ１の凹溝部１２に第２コネクタ１０１の凸条部１１２を挿入するための挿入力を受けた場合でも、第１接点７１及び第２接点７２で一方の端子の柔軟性が高いので、第１コネクタ１の凹溝部１２に第２コネクタ１０１の凸条部１１２を挿入することが容易である。つまり、必要な挿入力が小さい。
【００４８】
さらに、第１コネクタ１と第２コネクタ１０１とが嵌合した状態で衝撃のような外力を受けた場合にも、第１接点７１及び第２接点７２の接触状態が確実に維持され、第１端子６１と第２端子１６１との導通状態が確実に維持される。
【００４９】
例えば、図１０に示される例のように、第２コネクタ１０１が第１コネクタ１に対して右方向（矢示Ａ方向）に変位するような外力を受けた場合を考える。まず、図における左側の第１端子６１と第２端子１６１との関係を観ると、第１接点７１では、柔軟性の高い第１端子６１の第１接触部６５が弾性的に右方向（矢示ａ方向）に変位して第２端子１６１の第１接触部１６５との接触を維持し、第２接点７１では、柔軟性の高い第２端子１６１の第２接触部１６６が弾性的に左方向（矢示ｂ方向）に変位して第１端子６１の第２接触部６６との接触を維持する。また、図における右側の第１端子６１と第２端子１６１との関係を観ると、同様に、第１接点７１では、柔軟性の高い第１端子６１の第１接触部６５が弾性的に右方向（矢示ａ’方向）に変位して第２端子１６１の第１接触部１６５との接触を維持し、第２接点７１では、柔軟性の高い第２端子１６１の第２接触部１６６が弾性的に左方向（矢示ｂ’方向）に変位して第１端子６１の第２接触部６６との接触を維持する。
【００５０】
このことから、第１接点７１及び第２接点７２では、柔軟性の高い第１端子６１の第１接触部６５及び第２端子１６１の第２接触部１６６が弾性的に変位することによって、外力を吸収して接触を維持するので、衝撃のような大きな外力を受けた場合であっても、少なくとも第１接点７１又は第２接点７２の一方が接触を維持することができ、第１端子６１と第２端子１６１との導通状態が確実に維持される。したがって、第１接点７１及び第２接点７２の両方において、瞬間的にではあっても、接触が切断されて第１端子６１と第２端子１６１とが非導通となる状態、すなわち、瞬断が発生することがない。
【００５１】
また、第１接点７１において弾性的に変位する第１端子６１の第１接触部６５の固有振動数と第２接点７２において弾性的に変位する第２端子１６１の第２接触部１６６の固有振動数とは、それらの形状が異なることから明らかなように、互いに相違する。そのため、衝撃を受けて第１端子６１の第１接触部６５及び第２端子１６１の第２接触部１６６がともに振動したとしても、両者の振動数が相違するので、第１端子６１の第１接触部６５が第２端子１６１の第１接触部１６５から離脱するタイミングと、第２端子１６１の第２接触部１６６が第１端子６１の第２接触部６６から離脱するタイミングとは一致しない。したがって、第１接点７１及び第２接点７２の両方において同時に非導通となることはなく、瞬断が発生することがない。
【００５２】
なお、本実施の形態においては、第１端子６１の第１接触部６５及び第２端子１６１の第２接触部１６６は柔軟性が高く、かつ、第１端子６１の第２接触部６６及び第２端子１６１の第１接触部１６５は剛性が高くなるように形成した例についてのみ説明したが、第１端子６１の第１接触部６５及び第２端子１６１の第２接触部１６６は剛性が高く、かつ、第１端子６１の第２接触部６６及び第２端子１６１の第１接触部１６５は柔軟性が高くなるように形成しもよい。
【００５３】
このように、本実施の形態において、基板コネクタは、第１端子６１と、第１端子６１が配設された第１ハウジング１１とを有する第１コネクタ１と、第２端子１６１と、第２端子１６１が配設された第２ハウジング１１１とを有し、第１コネクタ１と嵌合する第２コネクタ１０１とから成り、第１端子６１と第２端子１６１とは、第１接点７１及び第２接点７２で互いに接触し、第１接点７１又は第２接点７２の一方では、第１端子６１の柔軟性が高く、第２端子１６１の剛性が高く、第１接点７１又は第２接点７２の他方では、第１端子６１の剛性が高く、第２端子１６１の柔軟性が高い。
【００５４】
これにより、衝撃のような外力を受けた場合にも第１接点及び第２接点で接触状態を確実に維持することができ、信頼性が高い。また、小さな挿入力及び大きな抜去力の両者を実現することができ、操作性が高い。
【００５５】
また、第１接点７１で柔軟性が高い第１端子６１又は第２端子１６１の固有振動数と、第２接点７２で柔軟性が高い第１端子６１又は第２端子１６１の固有振動数とが相違する。したがって、第１接点７１及び第２接点７２の両方において同時に非導通となることはなく、瞬断が発生することがない。
【００５６】
なお、本発明は前記実施の形態に限定されるものではなく、本発明の趣旨に基づいて種々変形させることが可能であり、それらを本発明の範囲から排除するものではない。
【図面の簡単な説明】
【００５７】
【図１】本発明の実施の形態における第１コネクタの分解図である。
【図２】本発明の実施の形態における第１コネクタと第２コネクタとを嵌合した状態を示す斜視図であり、第１コネクタの嵌合面側から観た図である。
【図３】本発明の実施の形態における第１コネクタの斜視図であり、嵌合面側から観た図である。
【図４】本発明の実施の形態における第１コネクタの斜視図であり、実装面側から観た図である。
【図５】本発明の実施の形態における第２コネクタの斜視図であり、嵌合面側から観た図である。
【図６】本発明の実施の形態における第２コネクタの斜視図であり、実装面側から観た図である。
【図７】本発明の実施の形態における配列された第２端子の斜視図であり、嵌合面側から観た図である。
【図８】本発明の実施の形態における端子を示す第１コネクタ及び第２コネクタの断面図であり、嵌合前の状態を示す図である。
【図９】本発明の実施の形態における端子を示す第１コネクタ及び第２コネクタの断面図であり、嵌合した状態を示す図である。
【図１０】本発明の実施の形態における端子を示す第１コネクタ及び第２コネクタの断面図であり、嵌合した状態で外力が付与された状態を示す図である。
【図１１】従来の基板コネクタを示す断面図であり、（ａ）は嵌合前の状態を示す図、（ｂ）は嵌合後の状態を示す図である。
【符号の説明】
【００５８】
１    第１コネクタ
１１    第１ハウジング
１２、１１３    凹溝部
１３、１１２、８１２、９１２    凸条部
１４    側壁部
１５    第１端子収容キャビティ
１６    第１端子収容溝
２１    挿入凹部
２６    端壁部
６１    第１端子
６２、１６２    テール部
６３、１６３    被保持部
６４    下側接続部
６５、１６５    第１接触部
６６、１６６    第２接触部
６７    上側接続部
７１、８６５ａ    第１接点
７２、８６５ｂ    第２接点
９１    第１基板
１０１    第２コネクタ
１１１    第２ハウジング
１１６    第２端子収容溝
１１７    底板部
１２１    挿入凸部
１６１    第２端子
１６４    接続部
１９１    第２基板
８０１    レセプタクルコネクタ
８１１    レセプタクルハウジング
８６１    レセプタクル端子
９０１    プラグコネクタ
９１１    プラグハウジング
９６１ａ、９６１ｂ    プラグ端子
【図１】
2010015920.tif 000003
【図２】
2010015920.tif 000004
【図３】
2010015920.tif 000005
【図４】
2010015920.tif 000006
【図５】
2010015920.tif 000007
【図６】
2010015920.tif 000008
【図７】
2010015920.tif 000009
【図８】
2010015920.tif 000010
【図９】
2010015920.tif 000011
【図１０】
2010015920.tif 000012
【図１１】
2010015920.tif 000013